(57)【要約】本発明は、データを記憶するための領域を含み、物理的パラメータについての予め決められた標準化された条件に準拠する記録担体（１）に関する。この記録担体は、物理的パラメータに関するパラメータ情報を含み、そのパラメータ情報は、予め決められた標準化された条件において記述されているその物理的パラメータの精度よりも、高精度の情報である。この高精度のパラメータ情報を用いることにより、ラベルを構成する視認可能な画像の画素データの、正確な位置を導出することが可能となる。したがって、このパラメータ情報は、レコーダーが本発明に係る記録担体上に視認ラベルを書くことを可能とする。
2006505879.tif 000002
【特許請求の範囲】
【請求項１】
データを記憶するための領域を含み、該領域が、前記データをマークの形態で記憶するためのトラックのパターンを含み、当該記録担体が、物理的パラメータに関する、予め決められた標準化された条件に準拠している記録担体であって、当該記録媒体がパラメータ情報を含み、該パラメータ情報が、前記予め決められた標準化された条件において記述されている精度よりも、高精度の情報であることを特徴とする記録担体。
【請求項２】
前記パラメータ情報が、当該記録担体上に視認ラベルを書くことを支援するために用いられるものであることを特徴とする請求項１記載の記録担体。
【請求項３】
前記物理的パラメータが、当該記録担体のトラックピッチであることを特徴とする請求項１記載の記録担体。
【請求項４】
前記トラックピッチに関する前記予め決められた標準化された条件による平均トラックピッチが、マイクロメートル単位で小数第２位まで表されており、当該記録担体上に記憶されている前記トラックピッチに関する前記情報が、マイクロメートル単位で少なくとも小数第３位まで示されていることを特徴とする請求項３記載の記録担体。
【請求項５】
当該記録担体がＤＶＤ−ＲＷディスクまたはＤＶＤ＋ＲＷディスクであり、前記平均トラックピッチが０．７４μｍであることを特徴とする請求項４記載の記録担体。
【請求項６】
前記物理的パラメータが、チャネルビット長であることを特徴とする請求項１記載の記録担体。
【請求項７】
前記チャネルビット長に関する前記予め決められた標準化された条件による平均チャネルビット長が、ナノメートル単位で小数第１位まで表されており、当該記録担体上に記憶されている前記チャネルビット長に関する前記情報が、ナノメートル単位で少なくとも小数第２位まで示されていることを特徴とする請求項６記載の記録担体。
【請求項８】
当該記録担体がＤＶＤ−ＲＷディスクまたはＤＶＤ＋ＲＷディスクであり、前記平均チャネルビット長が１３３．３ｎｍであることを特徴とする請求項７記載の記録担体。
【請求項９】
前記物理的パラメータが、当該記録担体の内半径であることを特徴とする請求項１記載の記録担体。
【請求項１０】
前記内半径に関する前記予め決められた標準化された条件による内半径が、ミリメートル単位で小数第１位まで表されており、当該記録担体上に記憶されている前記内半径に関する前記情報が、ミリメートル単位で少なくとも小数第２位まで示されていることを特徴とする請求項９記載の記録担体。
【請求項１１】
当該記録担体がＤＶＤ−ＲＷディスクまたはＤＶＤ＋ＲＷディスクであり、前記内半径が２４．０ｍｍであることを特徴とする請求項１０記載の記録担体。
【請求項１２】
実質的に平行なトラックの前記パターンが、該トラックの、平均中心線からの連続的な正弦曲線状の振れ、いわゆるウォブルを示すものであり、前記パラメータ情報が、該ウォブルに記憶されていることを特徴とする請求項１記載の記録担体。
【請求項１３】
実質的に平行なトラックの前記パターンが、溝とランドとを含んでおり、前記溝が、ウォブル状とされた案内トラックであり、前記ランドが、前記溝同士の間の領域であり、前記パラメータ情報が、前記ランド上にエンボス形成されたピット、いわゆるプリピットに記憶されていることを特徴とする請求項１記載の記録担体。
【請求項１４】
前記パラメータ情報が、当該記録担体上の予め決められたデータフィールド内に記憶されていることを特徴とする請求項１記載の記録担体。
【請求項１５】
当該記録担体が、集積回路を含むさらなる領域を含み、前記パラメータ情報が、該集積回路内に記憶されていることを特徴とする請求項１記載の記録担体。
【発明の詳細な説明】
【技術分野】
【０００１】
本発明は、データを記憶するための領域を含み、その領域が、データをマークの形態で記憶するためのトラックのパターンを含み、当該記録担体が、物理的パラメータに関する、予め決められた標準化された条件に準拠している記録担体に関するものである。
【背景技術】
【０００２】
上記のタイプの記録担体は、たとえば、標準化された書換可能および／または記録可能な光記録担体であるＣＤ−Ｒ、ＣＤ−ＲＷ、ＤＶＤ＋Ｒ、またはＤＶＤ＋ＲＷや、読出専用ＣＤオーディオディスクより、よく知られている。このタイプの記録担体上のデータは、内半径側から外半径側へと一続きの時計回りとされた螺旋状に書き込まれる。これらの標準化された光記録担体について記載した文書（いわゆる標準仕様書）では、たとえば内半径、トラックピッチ、およびチャネルビット長といったような、これらの記録担体が準拠しなくてはならない物理的パラメータに関する条件が指定されている。これらのパラメータの公称値は、記録担体上に記憶されていることもあり、たとえばリードイン（ｌｅａｄ−ｉｎ）領域に記録される。
【発明の開示】
【発明が解決しようとする課題】
【０００３】
本発明の１つの目的は、たとえば記録担体上に視認ラベルを書く等のための、記録担体からのデータの読出しまたは記録担体へのデータの書込みを、標準的なドライブがより容易に行うことを可能とするような、記録担体を実現することである。
【課題を解決するための手段】
【０００４】
本発明によれば、上記の目的は、当該記録担体が物理的パラメータに関するパラメータ情報を含み、そのパラメータ情報が、予め決められた標準化された条件において記述されているその物理的パラメータの精度よりも、高精度の情報であることを特徴とする記録担体によって達成される。
【０００５】
特定の記録担体を識別し探し出すことを可能とするためには、これらの記録担体のユーザーが、記録前または記録後に、そのままでは特色のない記録担体に、内容と一致するようにラベルを付すことが必要である。一般的には、平均的なユーザーは、あまり熱心にこの作業を行わない。この問題を克服するためには、記録担体上への情報の記録中に、視認ラベルを書くことができれば便利である。しかしながら、かかる標準化された記録担体では、かかる記録担体上にデータを記録するための既知の標準的なドライブは、その記録担体上に視認ラベルを書けないという難点がある。記録担体上にラベルを書くことを可能とするためには、２次元的に座標配置された態様で画素を書かなくてはいけないので、ラベルを構成する、書き入れられた視認可能な画像の画素データが、最終的に記録担体領域上のどこに配されるのかを、正確に知ることが重要である。本発明の発明者は、とりわけ、読出専用媒体、記録可能な媒体、および書換可能な媒体の標準仕様書が、上記の物理的パラメータをある一定の精度までしか指定していないという事実のため、このパラメータのわずかな誤差が、記録担体上に書かれるラベルに著しい歪みをもたらすことに気付いた。すなわち、かかる物理的パラメータの、一見あまり顕著でない不精確さであっても、ラベルの書入処理には大きな影響を及ぼす。本発明の発明者は、このことに起因して、ブロック形態のラベルが、ほとんど認識不能な螺旋状パターンに歪んでしまうことを確かに見出した。このことから、本発明の発明者は、特定の物理的パラメータをより精確に示すことが必要であったという結論を導いた。これらの物理的パラメータは、記録担体上におけるチャネルビットの全体の配置を特定するため、したがってさらに、ラベルを構成する、書き入れられた視認可能な画像の画素データが、最終的に記録担体上のどこに配されるのかを特定するために、標準的なドライブによって使用され得る。
【０００６】
本発明にかかる記録担体の１つの好ましい実施形態は、パラメータ情報が、記録担体上に視認ラベルを書くことを支援するために用いられるものであることを特徴とする。
【０００７】
ここで、本発明に係る記録担体上に視認ラベルを書くことは、１つの可能な応用例に過ぎないことを注記しておかなくてはならない。パラメータ情報は、記録担体上に記憶されたデータの高速取出しのため、または、たとえばディフェクト・マネージメント方式において、データが書き込まれるべき正確な位置をさらに確かなものとするためにも用いられ得る。
【０００８】
本発明に係る記録担体のさらなる１つの実施形態は、上記の物理的パラメータが、記録担体のトラックピッチであることを特徴とする。さらなる１つの実施形態は、トラックピッチに関する上記の予め決められた標準化された条件による平均トラックピッチが、マイクロメートル単位で小数第２位まで表されており、記録担体上に記憶されているトラックピッチに関する情報が、マイクロメートル単位で少なくとも小数第３位まで示されていることを特徴とする。別の１つの実施形態は、記録担体がＤＶＤ−ＲＷディスクまたはＤＶＤ＋ＲＷディスクであり、上記の平均トラックピッチが０．７４μｍであることを特徴とする。これらの実施形態は、重要な利点として、非常に高精度に（少なくとも、記録担体に課せられたトラックピッチ条件よりも精度良く）記録担体上にトラックピッチを記憶させることにより、記録担体上においてラベルデータが最終的に配される、記録担体上の接線方向位置を精確に計算することが可能になるという利点を有する。たとえば、ＤＶＤ−ＲＷおよびＤＶＤ＋ＲＷの仕様書によれば、平均トラックピッチは、小数第２位までで０．７４μｍと示されている。本発明に係る記録担体上には、たとえば０．７３７μｍというように、より高精度の平均トラックピッチが記録され得る。このより高い精度の別の例として、本発明の発明者は、ＤＶＤ−ＲＷディスクのある特定のバッチについて、０．７４４３２５１μｍのトラックピッチを測定した。
【０００９】
本発明に係る記録担体のさらなる１つの実施形態は、上記の物理的パラメータが、チャネルビット長であることを特徴とする。さらなる１つの実施形態は、チャネルビット長に関する予め決められた標準化された条件による平均チャネルビット長が、ナノメートル単位で小数第１位まで表されており、記録担体上に記憶されているチャネルビット長に関する情報が、ナノメートル単位で少なくとも小数第２位まで示されていることを特徴とする。さらなる１つの実施形態は、記録担体がＤＶＤ−ＲＷディスクまたはＤＶＤ＋ＲＷディスクであり、上記の平均チャネルビット長が１３３．３ｎｍであることを特徴とする。上記のより高い精度の一例として、本発明の発明者は、ＤＶＤ−ＲＷディスクのある特定のバッチについて、１３４．１１４４３ｎｍの平均チャネルビット長を測定した。これらの実施形態は、追加の重要な利点として、チャネルビット長が高い精度で分かっていれば、書かれるべきラベルの回転による歪みが防止できるという利点を有する。チャネルビット長のわずかな不精確さによっても、ラベルの特定の画素の精確な半径方向位置を計算することが、非常に困難になってしまう点が理解できよう。
【００１０】
本発明に係る記録担体のさらなる１つの実施形態は、上記の物理的パラメータが、記録担体の内半径であることを特徴とする。さらなる１つの実施形態は、内半径に関する予め決められた標準化された条件による内半径が、ミリメートル単位で小数第１位まで表されており、記録担体上に記憶されている内半径に関する情報が、ミリメートル単位で少なくとも小数第２位まで示されていることを特徴とする。さらなる１つの実施形態は、記録担体がＤＶＤ−ＲＷディスクまたはＤＶＤ＋ＲＷディスクであり、上記の内半径が２４．０ｍｍであることを特徴とする。これらの実施形態は、追加の重要な利点として、内半径の精確な位置が分かっていることにより、ラベルの特定の画素の接線方向位置を精確に特定することが可能になるという利点を有する。
【００１１】
高精度のパラメータ情報は、多くの異なる方法で得ることができる。マスタリング過程を極めて適切に制御することが可能であれば、マスタリング時にパラメータ情報を記録担体上に記憶することも可能である。さらなる１つの実施形態では、パラメータ情報は、ウォブルに記憶される。ウォブルとは、トラックの、平均中心線からの連続的な正弦曲線状の振れである。かかる正弦曲線状の振れを含む記録担体は、たとえば、米国特許第４，９７２，４０１号（ＰＨＮ９６６６）より知られている。この特許文献の内容は、参照により、本明細書に含まれているものとする。別の１つの実施形態では、パラメータ情報は、ランド上にエンボス形成されたピット（いわゆるプリピット）に記憶される。これらの実施形態は、パラメータ情報を、既存の記憶技術内に組み込むことができるという利点を有する。データを記憶するためにウォブルを用いる技術は、たとえばＤＶＤ＋ＲＷディスクで用いられており、データを記憶するためにプリピットを用いる技術は、たとえばＤＶＤ−ＲＷディスクで用いられている。また、記録担体のマスタリング後に、パラメータ情報を記憶させることも可能である。パラメータ情報をウォブルまたはプリピットに記憶させる際には、この用途のために、特別の領域を記憶担体上に規定すると有利である。こうすることにより、たとえ記録担体自体の物理的パラメータについて正確な知識がなくても、高い信頼性でパラメータ情報を取り出すことが可能となる。
【００１２】
本発明に係る記録担体の別の１つの実施形態では、パラメータ情報が、記録担体上の予め決められたデータフィールド内に記憶される。この実施形態は、高い信頼性でパラメータ情報を取り出すことが可能となるという利点を有する。好ましくは、この予め決められたデータフィールドは、記録担体のリードイン（ｌｅａｄ−ｉｎ）領域内、たとえばリードイン領域中のディスク製造情報（Ｄｉｓｃ  Ｍａｎｕｆａｃｔｕｒｉｎｇ  Ｉｎｆｏｒｍａｔｉｏｎ）フィールド内に配される。
【００１３】
別の１つの実施形態では、本発明に係る記録担体は、集積回路を含むさらなる領域を含み、パラメータ情報は、その集積回路内に記憶されている。集積回路が配された記録担体は、たとえば国際公開公報ＷＯ０２／１７３１６  Ａ１号の国際出願（ＰＨＮＬ０１０２３３）より知られている。この特許文献の内容は、参照により、本明細書に含まれているものとする。この実施形態は、記録担体のマスタリング後に、パラメータ情報を記憶することを可能にするという利点を有する。作製された記録担体を測定することにより物理的パラメータの値が特定され、対応のパラメータ情報が後から集積回路内に記憶されるので、たとえマスタリング過程をあまり精確に制御できない場合であっても、この高精度のパラメータ情報を記録担体上に記憶させることができる。この実施形態はさらに、データ領域内にあるデータをプレーヤーが読み出せる前の段階においてさえも、集積回路内にあるパラメータ情報を読み出すことが可能であるという利点を有する。
【発明を実施するための最良の形態】
【００１４】
本発明のこれらおよびその他の側面は、以下に説明する実施形態を参照することにより明らかとなる。
【００１５】
図１は、中心穴２とデータ領域３とを有する記録可能な記録担体１、たとえばＤＶＤ＋ＲＷ様のディスクを示した図である。ＣＤ−ＲやＤＶＤ−ＲＷのような記録可能な光媒体に記憶されるデータは、内半径側から外半径側へと一続きの時計回りとされた螺旋状に書き込まれる。データ領域の最初の部分は、種々の特別の目的を有するリードイン領域として確保される。その後に、使用可能なデータ領域が来て、さらにその後に、リードアウト（ｌｅａｄ−ｏｕｔ）領域が続く。記録担体に記録を行う際には、リードイン領域のいくつかの部分が更新され、データ領域の書込みがなされ、最後の有効なデータ領域後に、リードアウト領域の書込みがなされる。上記のとおり、視認可能な画像を記録担体上に書くことを可能とするためには、書き入れられたデータが、最終的にデータ領域３上のどこに配されるのかを正確に知ることが重要である。
【００１６】
チャネルビットが最終的にデータ領域３上のどこに配されるのかを知るためには、標準化された記録担体がどのように規定されているかを分析する必要がある。記録可能および書換可能な媒体は、溝およびセクターアドレスの指示情報と共にマスタリングされる（たとえば、書換可能なＤＶＤ＋ＲＷディスクでは、ウォブル状の溝が、セクターアドレスを指示するために用いられ、記録可能なＤＶＤ−Ｒディスクでは、セクターアドレスに関するプリピット情報が、ランド内に存在している）。これらの媒体についての標準仕様書は、一般的に、内半径Ｒ０、トラックピッチＤｔｐ、およびチャネルビット長Ｌｃｂについて物理的な構成を規定しているが、ディスクのマスタリングに関する詳細は規定していない。内半径Ｒ０は、情報領域が始まる記録担体上の半径である。データ領域は、通常３つの領域、すなわちリードイン領域、データ記録領域、およびリードアウト領域を含んでいる。トラックピッチＤｔｐは、半径方向に測定した隣接トラック間の距離である。チャネルビット長Ｌｃｂは、チャネルビット長の単位長さＴである。たとえば、ＤＶＤでは、最小記録ピット長は、チャネルビット長の３倍すなわち３Ｔに等しく、最大記録ピット長は、チャネルビット長の１１倍すなわち１１Ｔに等しい。しかしながら、これらのパラメータが与えられ、ディスク全体に亘ってデータ密度が全く均一であると仮定されれば（すなわち、完全に均一なトラックピッチＤｔｐおよびチャネルビット長Ｌｃｂを有し、正確に内半径Ｒ０から始まる螺旋が仮定されれば）、記録担体全体に亘るチャネルビットの全体的な配置を計算することは、原理上可能である。螺旋においては、半径ｒは、１回転ごとに１トラックピッチＤｔｐ分増分するため、ｒは単に累積角度Φに線形的に依存し、
【数１】
2006505879.tif 000003
となる。トラック長に沿って積分することにより、ビットのストリング位置ｌと、累積角度Φとの間には
【数２】
2006505879.tif 000004
との関係があることが分かる。これをΦについて解くと、
【数３】
2006505879.tif 000005
となり、
【数４】
2006505879.tif 000006
となる。問題は、内半径Ｒ０、トラックピッチＤｔｐ、およびチャネルビット長Ｌｃｂが、一定の精度までしか分かっていない点である。このことは、ＤＶＤ−ＲＷディスクおよびＤＶＤ＋ＲＷディスクについてのパラメータの許容誤差を含む表を示した、図２および図３に示されている。半径ｒ（ｌ）については、ほとんどの実用的な目的に対しては指定された精度で満足なので、このことは必ずしも問題ではない。しかしながら、Φ（ｌ）の小さな誤差は、換算角度φ、すなわち
【数５】
2006505879.tif 000007
に多大な誤差を生じさせる。たとえば、ＤＶＤディスクは、内半径から外半径までの間に、４００００回を超える回転を利用する。したがって、Φ（ｌ）に１％の相対誤差があることは、φ（ｌ）に４００００％を超える誤差があることに相当する。すなわち、Φ（ｌ）に１％の誤差があると、ラベルの画像は、なんと４００回転分を超える回転歪みを有するものとなってしまう。問題は、当然、１回転ごとのデータ長のごくわずかな計算違いが、４００００回転を経た後には、多大な誤差へと蓄積してしまうという点である。本発明の発明者は、実験において、実際にこのような大きさの誤差を認めた。すなわち、半径ｒ（ｌ）における公称ブロックパターンは全く問題ないように見えるが、換算角度φ（ｌ）における公称１８０°ブロックパターンは、ほとんど認識不能な螺旋パターンに歪んでしまう。このことから、本発明の発明者は、データ画素の位置を特定するのに用いられる物理的パラメータについて、より高精度の情報が必要であるとの結論を導き出した。
【００１７】
Φ（ｌ）についての式をよく見ると、３つの定数Ｒ０、Ｄｔｐ、およびＬｃｂは、結局のところ、媒体のマスタリングに固有の２つのみのパラメータＡおよびＢとなることが分かる。すなわち、
【数６】
2006505879.tif 000008
として、
【数７】
2006505879.tif 000009
である。
【００１８】
２つのパラメータによる記述をより直観的に説明すると、線形的な螺旋は、トラックの最初の回転分に書き込まれたデータ量と、１回転ごとのそのデータ量の固定された増分とによって規定することができる（このことは、螺旋のスケール（縮尺）を第３のパラメータとして残すが、このスケールは回転歪みに影響を与えるものではなく、したがって高精度で知る必要はないものである）。この単純な２パラメータ問題は、これらのパラメータがわずかにずれると、むしろ見ごたえはあるが望ましくはない歪みパターンを生じさせ得る。
【００１９】
実験により、視認ラベルにおける歪みを１ｍｍ未満とするため、必要なサブｐｐｍレベルの精度をＡおよびＢにおいて達成するためには、見た目の較正処理を何度か繰り返すことが必要であることが分かった。この２パラメータの反復フィッティング処理の結果は、１つのディスク内において再現可能なだけでなく、１つのパックで購入された複数の書換可能なディスク間でも再現可能であることが分かった。明らかなことであるが、単一のバッチ由来のディスクは、単一のマスタリング用テンプレート由来のものである傾向がある。
【００２０】
図４は、パラメータ情報がトラックの物理的な振れの形態で記憶された、本発明に係る記録担体の２つの実施形態を示した図である。この図では、図１に示されたボックス４の拡大図として、かかる物理的な振れの２つの可能な実施形態が描かれている。これらの実施形態では、パラメータ情報は、記録担体のリードイン領域に記憶される。トラック４．１は、パラメータ情報が、トラックの幅の変動として記憶されたトラックを示している。この変動は、参照番号５で示されているように、一定の長さを有している。このパラメータ情報は、記録担体から読出しを行うための標準的な装置、たとえばＣＤプレーヤーやＤＶＤプレーヤーにおいて利用可能なトラッキング信号を用いて、記録担体から読み出すことが可能である。トラック４．２は、トラックの、平均中心線６からの振れの形態で、パラメータ情報が記憶されているトラックを示している。一般的にはウォブルと呼ばれる、かかる振れを有するトラックは、たとえばＣＤ−ＲディスクやＤＶＤ＋ＲＷディスクのような、種々の標準化された光記録担体で用いられている。さらなる情報については、前述の米国特許第４，９７２，４０１号（ＰＨＮ９６６６）を参照されたい。
【００２１】
図５は、パラメータ情報が記憶される集積回路７を含む、本発明に係る記録担体の１つの実施形態を示した図である。パラメータ情報は、マスタリング時またはマスタリング後に、集積回路内に記憶され得る。集積回路を含む記録担体に関するさらなる情報については、前述の国際公開公報ＷＯ０２／１７３１６  Ａ１号の国際出願（ＰＨＮＬ０１０２３３）、およびその国際出願中で言及されている文献を参照されたい。
【００２２】
記録担体上に書かれるラベルは、種々のあらゆる応用のために用いることができる。最も明白な応用例は、エンドユーザーが記録後の担体を識別するための手段として、ディスクをラベル付けする技術を用いることである。別の１つの応用例は、コピー防止の分野での応用である。ラベルは、コンテンツのコピーが困難であることを示す視認可能な透かし模様としての役割を果たすことができる。
【００２３】
ディスクのラベルは、ディスクの種々の位置に書くことができる。たとえば、ディスクのラベルは、通常のデータの後に、リードアウト領域内またはリードアウト領域外に配されてもよい。あるいは、ディスクのラベルは、内径側の環状部分、または通常のデータ間の環状部分に配されてもよい。また、通常のデータ領域の中にラベルを挿入することも可能である。一般的に、ラベルは、ディスクの読出面上の任意の可能な場所に書くことができる。
【００２４】
ラベルは、多くの異なる手法で記録担体上に書かれ得る。国際公開公報ＷＯ０２／４１３１６  Ａ１号の国際出願（ＰＨＮＬ０１０６０４；参照により本明細書に含まれているものとする）には、記録担体上に記憶されるべきマークに予め決められたランレングス配分を取り入れるため、チャネルコード内のいくらかの自由度を用いることにより記録担体上に記憶された、透かし模様を有する記録担体が開示されている。また、記録担体のデータ領域内にラベルを記憶させるのではなく、予め決められた記録担体の非情報領域を用いることも可能である。そのような領域内に、最小ランレングスまたは最大ランレングスが繰り返されたマークが、必要な視覚的効果を創出するために書き入れられる。このことは、たとえば米国特許第５，６０８，７１７号に開示されている。この特許文献の内容は、参照により本明細書に含まれているものとする。
【００２５】
図６Ａおよび６Ｂを参照して、本発明に係る記録担体上にラベルを書く手順の一例を説明する。この例では、以下の各工程が行われる。
１．記録担体上に書くべきラベルを選択する（たとえば図６Ａのラベル）。
２．必要な物理的パラメータに関するパラメータ情報を、記録担体から読み出す。
３．ディスク上に書かれるべき最初のデータバイトから、処理を開始する。
４．物理的パラメータ情報を用いて、そのバイトの極座標（ｒ，φ）を導出する（図６Ｂ参照）。
５．ラベル画像の対応画素の座標に変換する。
６．ラベル画像の対応画素の画素値を特定する。
７．必要なチャネル記号を選択する。
【００２６】
８．ディスク上に書かれるべき次のデータバイトについて、工程４から繰返し処理を行う。
【００２７】
上記の手順は、計算上の負担が非常に大きいアプローチである。特定の位置における画素値の反復性を利用することにより、必要な計算時間を減らすことができる。この目的のため、たとえば異なる画素値を有する次のラベル画素を探索する等、まずラベルパターンのエッジを探索する必要がある。
【００２８】
本発明の発明者は、無視できる程度の歪みを有する視認ラベルを形成するのに、２つの物理的パラメータに関するパラメータ情報を用いれば十分であるような安定性で、多くのＤＶＤディスクがマスタリングされていることを見出した。しかしながら、いくつかの特定の応用例に対しては、１つのみの物理的パラメータに関するパラメータ情報の使用でも十分であり得る。一方、２つより多いパラメータに関するパラメータ情報が必要とされ得る応用例もある。
【００２９】
上記の実施形態を参照して本発明について説明してきたが、同じ目的を達成するために、上記に代えて他の形態を用いてもよいことは明らかである。したがって、本発明の範囲は、上記の実施形態に限定されるものではなく、何らかの予め決められた物理的パラメータに準拠するあらゆる種類の記録担体（記録可能／書換可能な記録担体だけでなく、読出専用の記録媒体にも）に適用可能なものである。
【００３０】
また、本発明は、１つの物理的パラメータに関するパラメータ情報の記憶に限定されるものではない点にも留意されたい。ラベルの書入処理をさらに最適化するために、異なる複数の物理的パラメータに関する情報が組み合わせられてもよい。本発明はまた、特定の物理的パラメータに限定されるものでもない。特定のビットの記録担体上における位置を特定するのに利用可能なあらゆる物理的パラメータが、特許請求の範囲に記載された本発明の範囲に属する。これには、上記に既に述べた物理的パラメータに加えて、１回転ごとの精確なデータ量や、ディスク上の回転の数が含まれる。本発明はまた、記録担体上にラベルを書く特定の方法に限定されるものでもない。本発明に係る記録担体上にかかるラベルを書くには、記録担体の読出面上にラベルを書くために物理的パラメータを用いる、あらゆる方法が使用可能である。本発明はまた、本発明に係る記録担体上に存在するパラメータ情報の、特定の用途に限定されるものでもない。視認ラベルの書入れはこのパラメータ情報の好ましい適用例ではあるが、データの読出しおよび書込みに関連するあらゆる種類の用途が、このパラメータ情報を用いて適用可能である。
【００３１】
さらに、本明細書および特許請求の範囲で使用する「含む」および「備える」との語は、記載された特徴、整数、工程、または要素の存在を指定するものであって、１つまたは複数の他の特徴、整数、工程、要素、またはそれらの群の存在または追加を排除するものではない。また、請求項中のある要素の前に置かれた「１つの」との語は、そのような要素が複数存在することを排除するものではない。さらに、いずれの参照符号も、特許請求の範囲による本発明の範囲を限定するものではない。本発明は、ハードウェアおよびソフトウェアのいずれによっても実装することができる。また、いくつかの「手段」が、ハードウェアの同一項目によって体現されてもよい。さらに、本発明の思想は、新規な特徴およびそれら特徴の組合せの各々すべてに内在する。
【００３２】
本発明は、以下のように要約することができる。本発明は、データを記憶するための領域を含み、物理的パラメータについての予め決められた標準化された条件に準拠する記録担体に関する。この記録担体は、物理的パラメータに関するパラメータ情報を含み、このパラメータ情報は、上記の予め決められた標準化された条件において記述されているその物理的パラメータの精度よりも、高精度の情報である。この高精度のパラメータ情報を用いることにより、ラベルを構成する視認可能な画像の画素データの、正確な位置を導出することが可能となる。したがって、このパラメータ情報は、レコーダーが本発明に係る記録担体上に視認ラベルを書くことを可能とする。
【図面の簡単な説明】
【００３３】
【図１】本発明に係る記録担体の１つの実施形態の概略図
【図２】ＤＶＤ−ＲＷディスクについてのパラメータの許容誤差を含む表
【図３】ＤＶＤ＋ＲＷディスクについてのパラメータの許容誤差を含む表
【図４】パラメータ情報がトラックの物理的な振れの形態で記憶された、本発明に係る記録担体の２つの実施形態を示した図
【図５】パラメータ情報が記憶される集積回路を含む、本発明に係る記録担体の１つの実施形態を示した図
【図６Ａ】本発明に係る記録担体上に書くことができる、視認ラベルの可能な適用例を示した図
【図６Ｂ】本発明に係る記録担体上に書くことができる、視認ラベルの可能な適用例を示した図
【図１】
2006505879.tif 000010
【図２】
2006505879.tif 000011
【図３】
2006505879.tif 000012
【図４】
2006505879.tif 000013
【図５】
2006505879.tif 000014
2006505879.tif 000015
【国際調査報告】
2006505879.tif 000016
2006505879.tif 000017
2006505879.tif 000018